(57)【要約】【課題】２列１組の連鎖型部品をリールに巻き取る場合に、各列ごとに効率良く複数のリールに巻き取ることができる連鎖型部品の巻取装置を提供することを課題としている。【解決手段】２列１組で形成された連鎖端子（連鎖型部品）を１列ごとに巻取リール（リール）Ｒに巻き取るための巻取装置１０であって、横向きに装着された巻取リールＲを横回転可能な４基の回転手段２０と、層間紙Ｓを巻取リールＲに供給する４基の層間紙供給手段３０と、所定の２基の回転手段２０に対して、各々１列ごとに連鎖端子１ａを供給する部品供給手段４０と、各回転手段２０に装着された巻取リールＲを交換可能なリール交換手段５０とを備え、所定の２基の回転手段２０で巻き取りながら、他の２基の回転手段２０に装着された巻取リールＲが交換可能となるように構成されていることを特徴としている。【選択図】  図１
2004174571.tif 000002
【特許請求の範囲】
【請求項１】
２列１組で形成された連鎖型部品を１列ごとにリールに巻き取るための連鎖型部品の巻取装置であって、
前記リールが着脱自在であり、横向きに装着された前記リールを横回転可能な４基の回転手段と、
前記各回転手段に付設され、前記連鎖型部品に積層される層間紙を前記回転手段に装着された前記リールに供給する４基の層間紙供給手段と、
所定の２基の前記回転手段に装着された前記リールに対して、各々１列ごとに前記連鎖型部品を供給する部品供給手段と、
前記各回転手段に装着された前記リールを他の前記リールに交換可能なリール交換手段と、を備え、
前記部品供給手段によって前記連鎖型部品を前記所定の２基の前記回転手段に装着された前記リールに供給して巻き取りながら、前記リール交換手段によって、他の２基の前記回転手段に装着された前記リールが交換可能となるように構成されており、
前記連鎖型部品の巻き取りが終了した前記リールの交換と、前記回転手段に装着された新たな前記リールへの前記連鎖型部品の供給とが切り替え自在となるように構成されていることを特徴とする連鎖型部品の巻取装置。
【請求項２】
４基の前記回転手段は、上下方向に並設されており、
前記部品供給手段は、連動して上下方向に移動する第１ガイド部及び第２ガイド部を備え、
前記第１ガイド部は、上下方向に移動することにより、４基の前記回転手段において、上方に配置された２基の前記回転手段に装着された前記各リールに対して交互に前記連鎖型部品を導くとともに、
前記第２ガイド部は、上下方向に移動することにより、４基の前記回転手段において、下方に配置された２基の前記回転手段に装着された前記各リールに対して交互に前記連鎖型部品を導くように構成され、
前記リール交換手段は、上下方向に移動することにより、前記各回転手段において、前記連鎖型部品の巻き取りが終了した前記リールを順次に交換可能となるように構成されていることを特徴とする請求項１に記載の連鎖型部品の巻取装置。
【発明の詳細な説明】
【０００１】
【発明の属する技術分野】
本発明は、２列１組で形成された連鎖型部品を１列ごとにリールに巻き取るための巻取装置に関する。
【０００２】
【従来の技術】
連鎖型部品としては、例えば、図３（ａ）の平面図に示すように、電子部品等に使用される端子２の一端のみが、所定間隔で帯状部材であるキャリア３に結合された状態で形成された連鎖型端子（以下、「連鎖端子」という）１ａがある。通常、連鎖端子１ａはプレス機によって連続加工されており、プレス機から順次に搬出された連鎖端子１ａはリールに巻き取られ、リールに巻回された状態で出荷される。
【０００３】
従来、プレス機から搬出された連鎖端子をリールに巻き取るための巻取装置としては、連鎖端子（帯状加工品）を巻き取るための巻取リールを縦回転可能に支持する巻取リール支持部と、層間紙が巻回された層間紙リールを支持する層間紙リール支持部と、プレス機（送出部）から搬出された連鎖端子を巻取リールに導くガイド部とを備えた巻取装置がある。この巻取装置は、プレス機から搬出される連鎖端子と、層間紙リールから引き出された層間紙とを積層した状態でガイド部によって巻取リールに導き、巻取リールを縦回転させることにより、両者を巻取リールに巻き取るように構成された装置である。また、巻取リール支持部には、複数の巻取リールが並設されており、１本の巻取リールにおいて連鎖端子の巻き取りを終了し、プレス機からの連鎖端子１の搬出を停止した後に、ガイド部が他の巻取リールに連鎖端子を導くことができる位置に巻取リール支持部が移動するように構成されている。これにより、順次に複数の巻取リールに連鎖端子を巻き取ることができる（例えば、特許文献１参照。）。
【０００４】
【特許文献１】
特開平５−４２３２１号公報（第２−６頁、第１−３図）
【０００５】
【発明が解決しようとする課題】
しかしながら、従来の連鎖端子の巻取装置では、以下の問題がある。
連鎖端子は、帯状部材をプレス機によって打ち抜き・折り曲げ等の加工を行うことで形成されており、近年では、連鎖端子を製造する際の歩留まりを高めるため、図３（ｂ）の平面図に示すように、１枚の帯状部材に２列１組の連鎖端子１を形成し、１枚の帯状部材から廃棄される部位を削減する２条取りの連鎖端子が用いられている。
従来の連鎖端子の巻取装置では、プレス機から搬出された連鎖端子１を巻取リールに導くガイド部が１基しか設けられていないため、２列１組の連鎖端子１がプレス機から搬出される場合には、１列の連鎖端子１ａを貯留することになってしまう。さらに、１本の巻取リールへの巻き取り作業を終了し、プレス機からの連鎖端子１の搬出を停止した状態で、巻取リール支持部を他の巻取リールに対応する位置まで移動させた後に、他の巻取リールに層間紙の一端を取り付けることになるため、連鎖端子１の搬出を停止する期間が長くなってしまう。
【０００６】
したがって、従来の連鎖端子の巻取装置では、２列１組の連鎖端子１を巻取リールに巻き取る場合に、１列の連鎖端子１ａを一旦貯留した後に巻き取る必要があるとともに、巻取リールの交換する際に連鎖端子１の供給を停止する期間が長くなるため、作業を円滑に行うことができないという問題がある。
【０００７】
本発明は、前記問題を解決するためになされたものであり、２列１組の連鎖型部品をリールに巻き取る場合に、各列ごとに効率良く複数のリールに巻き取ることができる連鎖型部品の巻取装置を提供することを課題としている。
【０００８】
【課題を解決するための手段】
本発明は、前記課題を解決すべく構成されるものであり、請求項１に記載の発明は、２列１組で形成された連鎖型部品を１列ごとにリールに巻き取るための連鎖型部品の巻取装置であって、リールが着脱自在であり、横向きに装着されたリールを横回転可能な４基の回転手段と、各回転手段に付設され、連鎖型部品に積層される層間紙を回転手段に装着されたリールに供給する４基の層間紙供給手段と、所定の２基の回転手段に装着されたリールに対して、各々１列ごとに連鎖型部品を供給する部品供給手段と、各回転手段に装着されたリールを他のリールに交換可能なリール交換手段とを備え、部品供給手段によって連鎖型部品を所定の２基の回転手段に装着されたリールに供給して巻き取りながら、リール交換手段によって、他の２基の回転手段に装着されたリールが交換可能となるように構成されており、連鎖型部品の巻き取りが終了したリールの交換と、回転手段に装着された新たなリールへの連鎖型部品の供給とが切り替え自在となるように構成されていることを特徴としている。
【０００９】
ここで、連鎖型部品とは、例えば、電子部品等に使用される端子の一端が所定間隔で帯状部材であるキャリアに結合された状態で形成された連鎖端子であるが、複数の部品が帯状に結合されて形成され、リールに巻き取ることができるものであればよく、その形状や材質などは限定されるものではない。
層間紙とは、連鎖型部品に積層されることにより、連鎖型部品同士の接触による損傷を防止するための帯状の紙である。
【００１０】
この発明によれば、２列１組の連鎖型部品が、部品供給手段によって２基の回転手段に対して各々１列ごとに供給されて各リールに巻き取られるため、各列の巻き取りを同時進行で行うことができる。
また、２基の回転手段で連鎖型部品の巻き取りを行いながら、リール交換手段によって他の２基の回転手段に装着された各リールを交換することができるとともに、他の２基の回転手段に付設された各層間紙供給手段から層間紙の一端を各リールに予め取り付けることができるため、リールを交換する際に連鎖型部品の供給を停止する期間が短くなり、効率良く巻き取り作業を行うことができる。
さらに、リールを横回転させて連鎖型部品を巻き取るため、リールに巻き取られる連鎖型部品が、その自重によりリール内で下降し、連鎖型部品の下端部がリールの下方のフランジに当接した状態で巻き取られる。これにより、連鎖型部品の下端部の位置が規制されるため、リールに巻き取られて積層された連鎖型部品同士にずれが生じることを防止することができる。また、連鎖型部品が、端子の一端がキャリアに結合された連鎖端子である場合には、キャリアをリールの下方のフランジに当接させた状態で巻き取ることにより、端子がリールの上方のフランジに当接して変形してしまうことを防止することができる。
【００１１】
また、請求項２に記載の発明は、請求項１に記載の連鎖型部品の巻取装置であって、４基の回転手段は、上下方向に並設されており、部品供給手段は、連動して上下方向に移動する第１ガイド部及び第２ガイド部とを備え、第１ガイド部は、上下方向に移動することにより、４基の回転手段において、上方に配置された２基の回転手段に装着された各リールに対して交互に連鎖型部品を導くとともに、第２ガイド部は、上下方向に移動することにより、４基の回転手段において、下方に配置された２基の回転手段に装着された各リールに対して交互に連鎖型部品を導くように構成され、リール交換手段は、上下方向に移動することにより、各回転手段において、連鎖型部品の巻き取りが終了したリールを順次に交換可能となるように構成されていることを特徴としている。
【００１２】
この発明によれば、部品供給手段の第１ガイド部及び第２ガイド部を連動して上下方向に移動させることにより、４基の回転手段において、２基ずつ交互に連鎖型部品を巻き取りながら、リール交換手段を上下方向に移動させることにより、連鎖型部品の巻き取りが終了した各リールを順次に交換するため、簡易化された構成の装置によって２列１組の連鎖型部品を効率良く巻き取ることができる。
【００１３】
したがって、本発明の連鎖型部品の巻取装置では、２列１組の連鎖型部品をリールに巻き取る場合に、各列ごとに効率良く複数のリールに巻き取ることができるとともに、連鎖型部品を精度良くリールに巻き取ることができる。
【００１４】
【発明の実施の形態】
以下、添付図面を参照して、本発明の実施形態について詳細に説明する。
【００１５】
本発明の実施形態に係る連鎖型部品の巻取装置（以下、「巻取装置」という）は、複数の部品が帯状に結合されて形成された連鎖型部品に適用可能であるが、この実施形態では、端子の一端が所定間隔でキャリアに結合された状態で形成された連鎖端子を巻取リールに巻き取る場合を例として説明する。
【００１６】
図１は、本発明の実施形態に係る巻取装置を示した側断面図である。図２は、本発明の実施形態に係る巻取装置を示した平面断面図である。
【００１７】
まず、本実施形態で用いられる連鎖端子について説明する。
２列１組の連鎖端子１は、図３（ｂ）に示すように、１枚の帯状部材をプレス機によって打ち抜き・折り曲げ等の加工を行うことにより、一端のみがキャリア３に結合された複数の端子２が所定間隔で形成された部材であり、帯状部材の両側にキャリア３が形成されるようにして、１枚の帯状部材に２列の片持ち状態の連鎖端子１ａが形成されている。
【００１８】
次に、本発明の実施形態に係る巻取装置の構成について説明する。
巻取装置１０は、図１及び図２に示すように、基台１１と、基台１１上に設置され、装着された巻取リールＲに連鎖端子１ａを巻き取るための巻取手段１２と、巻取手段１２に連鎖端子１ａを供給するための部品供給手段４０と、巻取手段１２に装着された巻取リールＲを交換するためのリール交換手段５０とから構成され、プレス機Ｐと巻取装置１０との間には、プレス機Ｐから搬出された連鎖端子１ａを部品供給手段４０に導くための複数のガイドローラ１３が設置されている。なお、この複数のガイドローラ１３は、交互に上下に配置されており、ガイドローラ１３同士の上下方向の間隔を調整することにより、プレス機Ｐと巻取装置１０との間を通過している連鎖端子１ａの長さを調整し、部品供給手段４０に導かれる連鎖端子１ａの送り量を調整することができる。また、複数のガイドローラ１３は、連鎖端子１ａの進行方向において２列に並設されており、プレス機Ｐから搬出された２列１組の連鎖端子１を各列ごとに分岐されるように構成されている。
【００１９】
巻取リールＲは、円形の断面形状であり、軸心に貫通孔である取付孔が形成された軸部Ｒ１と、軸部Ｒ１の両端部に形成されたフランジＲ２とから構成される既存のリールである。
【００２０】
基台１１は、平面視で長方形の板状部材であり、基台１１の下面の四隅に設けられた車輪１４によって移動可能である。
【００２１】
巻取手段１２は、巻取リール（請求項における「リール」）Ｒが着脱自在であり、回転方向が水平方向になるようにして横向きに装着された巻取リールＲを横回転可能な４基の回転手段２０と、各回転手段２０に付設され、連鎖端子（請求項における「連鎖型部品」）１ａに積層される層間紙Ｓを回転手段２０に装着された巻取リールＲに供給する４基の層間紙供給手段３０とから構成されている。
【００２２】
回転手段２０は、巻取リールＲの取付孔を着脱自在な取付軸２２を有し、横向きに設置された円板状部材である回転プレート２１と、回転プレート２１を横回転可能に支持するフレーム２３と、回転プレート２１を回転させるための駆動モータ２４とから構成されている。
回転手段２０のフレーム２３上には、プレス機Ｐから搬出された連鎖端子１ａの進行方向を巻取リールＲの軸部Ｒ１の接線方向に変化させるための支点ローラ２５が横向きに設置されている。
駆動モータ２４は、横向きに設置された円板状部材であるロータ２６を備え、ロータ２６の円周面と回転プレート２１の円周面とが接するようにして配置されており、ロータ２６を横回転させることにより、回転プレート２１がロータ２６と逆方向で横回転するように構成されている。
なお、回転手段２０は、４基の回転手段２０が上下方向に並設されており、各回転プレート２１が同心位置で横回転するように配置されている。
【００２３】
層間紙供給手段３０は、層間紙Ｓが巻回された層間紙リールＳＲが着脱自在であり、横向きに装着された層間紙リールＳＲを、横回転可能に支持する取付軸３１により構成され、装着された層間紙リールＳＲが回転手段２０の支点ローラ２５と同一高さになるようにして配置されており、層間紙リールＳＲから引き出された層間紙Ｓを支点ローラ２５に導くことができる。
【００２４】
部品供給手段４０は、連動して上下方向に移動する第１ガイド部４１ａ及び第２ガイド部４１ｂと、各ガイド部４１ａ，４１ｂを上下方向に移動させるための昇降手段６０とから構成され、所定の２基の回転手段２０，２０に装着された各巻取リールＲ，Ｒに対して、各々１列ごとに連鎖端子１ａを供給するものであり、昇降手段６０によって上下方向に移動可能である。
【００２５】
第１ガイド部４１ａは、上下方向に移動可能なガイドプレート４２と、ガイドプレート４２上に横向きに設置された２対のローラである横ガイドローラ４３と、縦向きに設置されたローラであり、ガイドプレート４２よりもプレス機Ｐ側でガイドプレート４２に付設された縦ガイドローラ４４とから構成され、縦ガイドローラ４４と横ガイドローラ４３との間に配置された連鎖端子１ａが９０度捻れるように構成されている。第１ガイド部４１ａは、４基の回転手段２０において上方に配置された２基の回転手段２０，２０の間を移動可能であり、横ガイドローラ４３と各回転手段２０，２０の支点ローラ２５とが同一高さとなる位置で各々停止するように構成されており、横ガイドローラ４３と支点ローラ２５との間に連鎖端子１を通過させることができる。
第２ガイド部４１ｂは、第１ガイド部４１ａと略同様の構成であり、４基の回転手段２０において、下方に配置された２基の回転手段２０，２０の間を移動するように構成されていることが異なっている。
【００２６】
部品供給手段４０の昇降手段６０は、本体６１と、本体６１の側面に上下方向に延長した状態で並設された２本のガイドレール６２，６２と、台座１１上に立設され、周囲にネジ部が形成されたシャフト６３と、本体６１の上部に設置され、シャフト６３の上端部が接続された駆動モータ６４とから構成されている。ガイドレール６２，６２には、各ガイド部４１ａ，４１ｂの各ガイドプレート４２，４２が移動可能に接続されている。また、シャフト６３は、各ガイドプレート４２，４２に形成されたネジ孔４５に螺合されており、駆動モータ６４によってシャフト６３を任意の方向に回転させることにより、各ガイドプレート４２，４２をガイドレール６２，６２に沿って上下方向に移動させることができる。すなわち、第１ガイド部４１ａ及び第２ガイド部４１ｂを連動して上下方向に移動させることができる。
【００２７】
リール交換手段５０は、昇降手段５２によって上下方向に移動可能であって、４基の回転手段２０に装着された各巻取リールＲを順次に他の巻取リールＲに交換可能であり、巻取リールＲを載置可能な搬送台５１と、基台１１上に設置され、搬送台５１を上下方向に移動させるための昇降手段５２と、搬送台５１と各回転手段２０の回転プレート２１との間で巻取リールＲを保持して搬送可能なロボットアーム（図示せず）とから構成されている。
搬送台５１の上面には、図２の上方から下方に向けて移動する搬送ベルト５３が全長に渡って設置されており、搬送ベルト５３に載置された巻取リールＲが搬送されるように構成されている。なお、搬送ベルト５３は、搬送された巻取リールＲが各回転手段２０の回転プレート２１と隣り合う位置で停止するように構成されている。
リール交換手段５０の昇降手段５２は、搬送台５１を基台１１に立設された本体５４に沿って４基の回転手段２０の間で上下方向に移動させ、搬送台５１の上面と、各回転手段２０の回転プレート２１の上面とが同一高さとなる位置で各々停止するように構成されている。
【００２８】
なお、昇降手段５２や搬送ベルト５２の駆動機構は、電動モータや油圧シリンダを用いた構成など限定されるものではない。また、ロボットアームの駆動機構も限定されるものではなく、例えば、油圧シリンダを組み合せた機構がある。さらに、ロボットアームが巻取リールＲを保持する機構も限定されるものではなく、例えば、磁力や空気の吸引力によりロボットアームに吸着させる機構を用いてもよい。
【００２９】
次に、本発明の実施形態に係る巻取装置１０の動作について説明する。なお、巻取装置１０における各動作の制御は、巻取装置１０に設けた制御手段（図示せず）によるシーケンス制御によって行われる。
巻取装置１０は、図１及び図２に示すように、部品供給手段４０によって１列の連鎖端子１ａを所定の２基の回転手段２０，２０に装着された巻取リールＲに供給して巻き取りながら、リール交換手段５０によって、他の２基の回転手段２０，２０に装着された各巻取リールＲ，Ｒが交換可能となるように構成されており、連鎖端子１ａの巻き取りが終了した巻取リールＲの交換と、回転手段２０に装着された新たな巻取リールＲへの連鎖端子１ａの供給とが切り替え自在となるように構成されている。
【００３０】
具体的には、部品供給手段４０の第１ガイド部４１ａでは、縦ガイドローラ４４と横ガイドローラ４３にプレス機Ｐから搬出された１列の連鎖端子１ａを通過させ、回転手段２０の支点ローラ２５に導くことにより、連鎖端子１ａを巻取リールＲに供給することができる。そして、第１ガイド部４１ａを、４基の回転手段２０において上方に配置された２基の回転手段２０，２０の間で上下方向に移動させ、横ガイドローラ４３と支点ローラ２５とが同一高さとなるようにして交互に停止させることにより、上方に配置された２基の回転手段２０，２０に装着された各巻取リールＲ，Ｒに対して交互に連鎖端子１ａを導くことができる。また、第２ガイド部４１ｂを、４基の回転手段２０において下方に配置された２基の回転手段２０，２０の間を上下方向に移動させることにより、第１ガイド部４１ａと同様にして、各回転手段２０，２０に装着された各巻取リールＲ，Ｒに対して交互に連鎖端子１ａを導くことができる。
【００３１】
また、リール交換手段５０では、回転プレート２１上の巻取リールＲをロボットアームによって搬送させて搬送台５１の搬送ベルト５３上に載置させた後に、搬送ベルト５３を駆動させて巻取リールＲを搬送して回収する。このとき、搬送ベルト５３の移動方向における後方部に、予め新たな巻取リールＲを載置しておくことより、回転プレート２１と隣り合う位置に新たな巻取リールＲが搬送される。この新たな巻取リールＲをロボットアームによって回転プレート２１上に搬送させることにより、回転手段２０の巻取リールＲが交換される。そして、所定の２基の回転手段２０，２０において連鎖端子１ａを巻き取っている期間に、リール交換手段５０の搬送台５１を昇降手段５３によって４基の回転手段２０の間で上下方向に移動させることにより、他の２基の回転手段２０，２０において、連鎖端子１ａの巻き取りが終了した各巻取リールＲ，Ｒを順次に交換することができる。
【００３２】
次に、本発明の実施形態に係る巻取装置１０による巻取リールＲへの連鎖端子１ａの巻き取りについて説明する。
まず、図１及び図２に示すように、４基の回転手段２０において、上方から２段目の回転手段２０と最下段の回転手段２０（以下、両者を「所定の２基の回転手段」という）に各々巻取リールＲを装着する。さらに、所定の２基の回転手段２０，２０の各層間紙供給手段３０，３０から層間紙Ｓの一端を引き出し、各回転手段２０，２０の各支点リール２５，２５を介して、層間紙Ｓの一端を各巻取リールＲ，Ｒの各軸部Ｒ１，Ｒ１に取り付ける。
また、部品供給手段４０の第１ガイド部４１ａ及び第２ガイド部４１ｂを、所定の２基の回転手段２０，２０に対応するようにして停止させる。
【００３３】
続いて、プレス機Ｐから２列１組の連鎖端子１を搬出する。このとき、連鎖端子１は、平面が水平状態で搬出される。そして、２列１組の連鎖端子１は、プレス機Ｐと巻取装置１０との間に設置された複数のガイドローラ１３を通過することにより１列ごとに分岐され、１列ごとに第１ガイド部４１ａ及び第２ガイド部４１ｂの各縦ガイドローラ４４，４４に導かれる。さらに、各縦ガイドローラ４４，４４を通過した各連鎖端子１ａ，１ａは、９０度捻れて横ガイドローラ４３，４３に導かれた後に、各回転手段２０，２０の各支点ローラ２５，２５を介して各巻取リールＲ，Ｒの各軸部Ｒ１，Ｒ１に取り付けられる。なお、連鎖端子１ａと層間紙Ｓは、互いに支点ローラ２５を通過して積層されるため、各巻取リールＲ，Ｒには、積層された連鎖端子１ａ及び層間紙Ｓの一端が取り付けられた状態となる。
【００３４】
そして、所定の２基の回転手段２０，２０において、各回転プレート２１，２１を横回転させ、横向きに装着された巻取リールＲに連鎖端子１ａ及び層間紙Ｓを巻き取る。これにより、２列１組の連鎖端子１が各列ごとに同時進行で２本の巻取リールＲ，Ｒに巻き取られる。なお、横向きの巻取リールＲを横回転させて連鎖端子１ａを巻き取るため、巻取リールＲに巻き取られる連鎖端子１ａが、その自重により巻取リールＲ内で下降し、連鎖端子１ａのキャリア３（図３（ｂ）参照）が巻取リールＲの下方のフランジＲ２に当接した状態で巻き取られる。これにより、連鎖端子１ａのキャリア３の位置が規制されるため、巻取リールＲに巻き取られて積層された連鎖端子１ａ同士にずれを生じさせることなく巻き取ることができるとともに、キャリア３を下方のフランジＲ２に当接させた状態で巻き取るため、端子２が上方のフランジＲ２に当接して変形してしまうことを防止することができ、製品の品質を高めることができる。
【００３５】
一方、所定の２基の回転手段２０，２０が連鎖端子１ａを巻き取っている期間に、リール交換手段５０を最上段の回転手段２０と上方から３段目の回転手段２０（以下、両者を「他の２基の回転手段」という）に対応する位置に順次に移動させ、２基の回転手段２０，２０の各回転プレート２１，２１に巻取リールＲを装着する。さらに、他の２基の回転手段２０，２０の各層間紙供給手段３０，３０から層間紙Ｓを引き出し、その一端を各巻取リールＲ，Ｒの各軸部Ｒ１，Ｒ１に取り付ける。
【００３６】
また、プレス機Ｐでは、所定量の連鎖端子１ａを搬出した後に、連鎖端子１ａの搬出を一旦停止する。この搬出の停止と同時に、所定の２基の回転手段２０，２０における各回転プレート２１，２１の回転が停止され、連鎖端子１ａの巻き取りが終了する。さらに、連鎖端子１ａの進行方向において縦ガイドローラ４４の直前で連鎖端子１ａを切断して所定量の連鎖端子１ａを巻取リールＲに巻回するとともに、巻取リールＲの近傍で層間紙Ｓを切断する。これにより、所定の２基の回転手段２０，２０に、所定量の連鎖端子１ａの巻き取りが終了した各巻取リールＲ，Ｒが装着された状態となる。
【００３７】
続いて、各ガイド部４１ａ，４１ｂを上方に移動させ、他の２基の回転手段２０，２０に対応するようにして停止させる。そして、前記所定の２基の回転手段２０，２０と同様にして、他の２基の回転手段２０，２０に装着されている巻取リールＲ，Ｒに連鎖端子１ａ及び層間紙Ｓの一端を取り付けた後に、プレス機Ｐから連鎖端子１ａの供給を再開し、各巻取リールＲ，Ｒに連鎖端子１ａ及び層間紙Ｓを巻き取る。このとき、他の２基の回転手段２０，２０に装着された各巻取リールＲ，Ｒには、既に層間紙Ｓの一端が取り付けられているため、連鎖端子１ａ及び層間紙Ｓを短期間に取り付けることができ、プレス機Ｐにおいて連鎖端子１ａの供給を停止する期間が短くすることができる。
そして、他の２基の回転手段２０，２０が連鎖端子１ａを巻き取っている期間に、リール交換手段５０を所定の２基の回転手段２０，２０に対応する位置に順次に移動させ、各回転プレート２１，２１に装着された連鎖端子１ａの巻き取りが終了した各巻取リールＲ，Ｒを順次に新たな巻取リールＲに交換し、所定量の連鎖端子１ａが巻き取られた各巻取リールＲ，Ｒを巻取装置１から搬出する。さらに、所定の２基の回転手段２０，２０の各層間紙供給手段３０，３０から層間紙Ｓを引き出し、層間紙Ｓの一端を新たな各巻取リールＲ，Ｒに取り付ける。
【００３８】
このようにして、連鎖端子１ａの巻き取りが終了した巻取リールＲの交換と、回転手段２０に装着された新たな巻取リールＲへの連鎖端子１ａ及び層間紙Ｓの供給とを２基の回転手段２０，２０ごとに交互に切り替えながら、２列１組の連鎖端子１ａを各列ごとに同時進行で２本の巻取リールＲ，Ｒに巻き取る。
【００３９】
したがって、本発明の実施形態に係る巻取装置１０では、２列１組の連鎖端子１ａを巻取リールＲに巻き取る場合に、各列ごとに効率良く複数の巻取リールＲに巻き取ることができるとともに、連鎖端子１ａを精度良く巻取リールＲに巻き取ることができる。
【００４０】
以上、本発明の好適な実施形態についての一例を説明したが、本発明は前記実施形態に限定されず、本発明の趣旨を逸脱しない範囲で適宜設計変更が可能である。
例えば、回転手段２０、部品供給手段４０及びリール交換手段５０の駆動源は限定されるものではなく、電動式や油圧式など各手段の動作を円滑かつ確実に行うことができるものであればよい。
【００４１】
【発明の効果】
本発明の連鎖型部品の巻取装置によれば、２列１組の連鎖型部品が、部品供給手段によって２基の回転手段に対して各々１列ごとに供給されてリールに巻き取られるため、各列の巻き取りを同時進行で行うことができる。
また、２基の回転手段で連鎖型部品の巻き取りを行いながら、リール交換手段によって他の２基の回転手段に装着されたリールを交換することができるとともに、各回転手段に付設された層間紙供給手段から層間紙の一端をリールに取り付けることができるため、リールを交換する際に連鎖型部品の供給を停止する期間が短くなり、効率良く巻き取り作業を行うことができる。
さらに、リールを横回転方向に回転させて連鎖型部品を巻き取るため、リールに巻き取られる連鎖型部品が、その自重によりリール内で下降し、連鎖型部品の下端部がリールの下方のフランジに当接した状態で巻き取られる。これにより、連鎖型部品の下端部の位置が規制されるため、リールに巻き取られて積層された連鎖型部品同士にずれが生じることを防止することができ、連鎖型部品を精度良くリールに巻き取ることができる。
【図面の簡単な説明】
【図１】本発明の実施形態に係る連鎖型部品の巻取装置を示した側面図である。
【図２】本発明の実施形態に係る連鎖型部品の巻取装置を示した平面図である。
【図３】連鎖端子を示した図で、（ａ）は１列で形成された連鎖端子を示した平面図、（ｂ）は２列１組で形成された連鎖端子を示した平面図である。
【符号の説明】
１・・・・２列１組の連鎖端子
１ａ・・・・１列の連鎖端子
１０・・・・巻取装置
１１・・・・基台
１２・・・・巻取手段
２０・・・・回転手段
３０・・・・層間紙供給手段
４０・・・・部品供給手段
４１ａ・・・第１ガイド部
４１ｂ・・・第２ガイド部
５０・・・・リール交換手段
Ｒ・・・・巻取リール
Ｓ・・・・層間紙
【図１】
2004174571.tif 000003
【図２】
2004174571.tif 000004
【図３】
2004174571.tif 000005